(57)【要約】【課題】隣接するシートとシートとの間に隙間が形成されるのを防止して、雑草の繁茂を確実に抑制することができる雑草繁茂抑制部材を提供する。【解決手段】雑草繁茂抑制部材２は、幅方向に並んで敷設される複数の合成樹脂製シート４と、複数のシート４の端部を地面に固定するための固定具６とを備える。複数のシート４のそれぞれの幅方向両側端部には折り返し部分４ａが形成されている。複数のシート４のそれぞれの折り返し部分４ａは、隣接するシート４の折り返し部分４ａと、隣接するシート４の非折り返し部分４ｂとの間に位置づけられている。【選択図】図２
2020171260.tif 000002
【特許請求の範囲】
【請求項１】
雑草の繁茂を抑制するための雑草繁茂抑制部材であって、
幅方向に並んで敷設される複数の合成樹脂製シートと、前記複数のシートの端部を地面に固定するための固定具とを備え、
前記複数のシートのそれぞれの幅方向両側端部には折り返し部分が形成されており、
前記複数のシートのそれぞれの折り返し部分は、隣接する前記シートの前記折り返し部分と、隣接する前記シートの非折り返し部分との間に位置づけられている雑草繁茂抑制部材。
【請求項２】
前記固定具は、前記折り返し部分に沿って配置された複数の板状押圧片と、前記板状押圧片および前記シートを貫通する複数のアンカーピンとを含む、請求項１に記載の雑草繁茂抑制部材。
【請求項３】
前記複数の板状押圧片のそれぞれは長方形状に形成されている、請求項２に記載の雑草繁茂抑制部材。
【請求項４】
前記複数の板状押圧片のそれぞれは円形状に形成されている、請求項２に記載の雑草繁茂抑制部材。
【発明の詳細な説明】
【技術分野】
【０００１】
本発明は、雑草の繁茂を抑制するための雑草繁茂抑制部材に関する。
【背景技術】
【０００２】
一般に、盛土による河川堤防の法面には、降雨や流水等による浸食を防止するため芝草が被覆されている。しかし、芝草が被覆された堤防の法面に雑草の種が飛来し、草丈が長い雑草（たとえば、イタドリ、セイタカアワダチソウ等）が繁茂してしまうと、雑草によって芝草への日射が遮られるため芝草が枯れ堤防が弱体化することになる。このため、定期的に雑草の除草作業や芝草の張替作業が必要となり、膨大な費用がかかるという問題がある。
【０００３】
また、イタドリの根は地下２ｍ程度まで伸びるため、通常の除草作業ではイタドリの地下茎を完全に除去するのは困難であり、除草作業をしても地中に残存した地下茎からイタドリが生育し再び繁茂することになる。さらに、イタドリの根はモグラが好むため、モグラによって穴が掘られ、堤防が損傷するという問題もある。そこで、幅方向端部同士を重ねた状態で複数のシートを地面に敷設して雑草の生育を抑制する技術が実用に供されている（たとえば特許文献１参照。）。
【先行技術文献】
【特許文献】
【０００４】
【特許文献１】特開２０１４−１２５８３７号公報
【発明の概要】
【発明が解決しようとする課題】
【０００５】
しかしながら、隣接するシートとシートとの間に隙間が形成されないように複数のシートを地面に敷設するのは困難であり、また、シートを敷設した際にはシート間に隙間が形成されていなくても、降雨や流水等によってシート間に隙間が形成されることもある。シート間に隙間があると、その隙間から雑草が伸びて繁茂してしまうという問題がある。
【０００６】
上記事実に鑑みてなされた本発明の課題は、隣接するシートとシートとの間に隙間が形成されるのを防止して、雑草の繁茂を確実に抑制することができる雑草繁茂抑制部材を提供することである。
【課題を解決するための手段】
【０００７】
上記課題を解決するために本発明が提供するのは以下の雑草繁茂抑制部材である。すなわち、雑草の繁茂を抑制するための雑草繁茂抑制部材であって、幅方向に並んで敷設される複数の合成樹脂製シートと、前記複数のシートの端部を地面に固定するための固定具とを備え、前記複数のシートのそれぞれの幅方向両側端部には折り返し部分が形成されており、前記複数のシートのそれぞれの折り返し部分は、隣接する前記シートの前記折り返し部分と、隣接する前記シートの非折り返し部分との間に位置づけられている雑草繁茂抑制部材である。
【０００８】
好ましくは、前記固定具は、前記折り返し部分に沿って配置された複数の板状押圧片と、前記板状押圧片および前記シートを貫通する複数のアンカーピンとを含む。前記複数の板状押圧片のそれぞれは、長方形状に形成されていてもよく、あるいは、円形状に形成されていてもよい。
【発明の効果】
【０００９】
本発明が提供する雑草繁茂抑制部材においては、各シートの折り返し部分は、隣接するシートの折り返し部分と、隣接するシートの非折り返し部分との間に位置づけられているので、隣接するシートとシートとの間に隙間が形成されるのが防止される。したがって、本発明の雑草繁茂抑制部材によれば、隣接するシートとシートとの間から雑草が伸びることがなく、雑草の繁茂を確実に抑制することができる。
【図面の簡単な説明】
【００１０】
【図１】本発明に従って構成された雑草繁茂抑制部材の平面図。
【図２】図１におけるＡ−Ａ線断面図。
【図３】（ａ）幅方向片側端部が片面側に折り返され、幅方向他側端部が他面側に折り返されて折り返し部分が形成されたシートの断面図、（ｂ）幅方向両側端部が片面側に折り返されて折り返し部分が形成されたシートの断面図。
【図４】固定具の板状押圧片が円形状である場合の雑草繁茂抑制部材の平面図。
【発明を実施するための形態】
【００１１】
以下、本発明に従って構成された雑草繁茂抑制部材の好適実施形態について図面を参照しつつ説明する。
【００１２】
図１を参照して説明すると、全体を符号２で示す雑草繁茂抑制部材は、幅方向に並んで敷設される複数の長方形状（たとえば、幅１〜２ｍ程度、長さ５〜６０ｍ程度）の合成樹脂製シート４と、複数のシート４の端部を地面に固定するための固定具６とを備える。なお、図１において、シート４の幅方向を矢印Ｙで示し、シート４の長手方向を矢印Ｘで示す。
【００１３】
シート４は、ポリオレフィン（たとえば、ポリエチレン、ポリプロピレン）等の適宜の合成樹脂から形成されている。図示の実施形態のシート４は多数の開口が規則的に形成された網状であり、シート４の網目形状については、矩形状や菱形状、亀甲形状、円形状等の任意の形状を採用することができる。なお、シート４は、樹脂繊維の織布または不織布から形成されていてもよい。
【００１４】
網状シート４の目合いは０．５〜１．５ｍｍ程度であるのが好ましい。シート４の目合いが０．５〜１．５ｍｍ程度であると、河川堤防の法面等においてシート４の上方に張芝が敷設された際に、芝草の根がシート４の開口を通って地面に到達し、芝草を根付かせることができる。また、シート４の目合いが０．５〜１．５ｍｍ程度であると、イタドリ、セイタカアワダチソウ等の雑草が除かれた後の地面にシート４が敷設された際に、地中に残存した地下茎から雑草が生育して芽が出るのをシート４で遮ることができ、また、シート４の開口を通って雑草の芽が出たとしても、雑草の茎の成長をシート４で制限して雑草の草丈を低く抑えることができる。
【００１５】
このようなシート４の製造方法としては、押出機により押出された溶融樹脂を成型ダイに導入し、ダイから出てきた筒状体の網状物を水槽内でサイジングし固化し、筒状体の網状物を引取装置の後流で連続的にカットして網状シートを製造する公知の技術（たとえば特許第３４８３０３７号公報参照。）を用いることができる。
【００１６】
図２および図３に示すとおり、各シート４の幅方向両側端部には、１８０度程度折り返された折り返し部分４ａが長手方向に沿って連続的に形成されており、シート４は折り返し部分４ａと非折り返し部分４ｂとを有する。各シート４の折り返し部分４ａは、図２を参照することによって理解されるとおり、隣接するシート４の折り返し部分４ａと、隣接するシート４の非折り返し部分４ｂとの間に位置づけられており、隣接するシート４の幅方向端部同士が重ね合わされている。なお、図３（ａ）に示すとおり、シート４の幅方向片側端部がシート４の片面側に折り返され、シート４の幅方向他側端部がシート４の他面側に折り返されて、折り返し部分４ａが形成されていてもよく、あるいは、図３（ｂ）に示すとおり、シート４の幅方向両側端部がシート４の片面側に折り返されて折り返し部分４ａが形成されていてもよい。また、折り返し部分４ａの幅は、たとえば３０〜１２０ｍｍ程度でよい。
【００１７】
図１および図２を参照して説明すると、固定具６は、折り返し部分４ａに沿って配置された複数の板状押圧片８と、板状押圧片８およびシート４を貫通する複数のアンカーピン１０とを含む。板状押圧片８は、鋼材等の適宜の金属材料またはポリオレフィン（たとえば、ポリエチレン、ポリプロピレン）等の適宜の合成樹脂から長方形状に形成されている。また、アンカーピン１０は、適宜の金属材料または合成樹脂からＬ型に形成されているが、角Ｕ型等の他の形状であってもよい。板状押圧片８には、板状押圧片８の長手方向に間隔をおいて複数個（図示の実施形態では３個）の貫通開口８ａ（図２参照。）が形成されており、アンカーピン１０は各貫通開口８ａおよびシート４を通って地面に差し込まれている。
【００１８】
図示の実施形態では、隣接する板状押圧片８の長手方向端部同士が接する状態で隙間なく複数の板状押圧片８が配置されているが、板状押圧片８の長手方向に適宜の間隔をおいて複数の板状押圧片８が配置されていてもよい。また、図示の実施形態の板状押圧片８の幅は折り返し部分４ａの幅よりも小さいが、板状押圧片８の幅は折り返し部分４ａの幅よりも大きくてもよく、あるいは同程度でもよい。
【００１９】
上述したとおりの雑草繁茂抑制部材２を敷設する際は、まず、ロール状に巻かれて搬送されたシート４を展開し、複数のシート４を幅方向に並べて配置する。次いで、シート４の幅方向両側端部を１８０度折り返して折り返し部分４ａを形成する。次いで、図２に示すとおり、各シート４の折り返し部分４ａを、隣接するシート４の折り返し部分４ａと、隣接するシート４の非折り返し部分４ｂとの間に差し込んで、隣接するシート４の幅方向端部同士を重ね合わせる。そして、折り返し部分４ａに沿って板状押圧片８を載せ、板状押圧片８の貫通開口８ａを通してアンカーピン１０を順次地面に差し込んでいく。このようにして、所要位置に雑草繁茂抑制部材２を敷設する。
【００２０】
以上のとおりであり、図示の実施形態の雑草繁茂抑制部材２においては、各シート４の折り返し部分４ａは、隣接するシート４の折り返し部分４ａと、隣接するシート４の非折り返し部分４ｂとの間に位置づけられているので、隣接するシート４とシート４との間に隙間が形成されるのが防止される。したがって、雑草繁茂抑制部材２によれば、隣接するシート４とシート４との間から雑草が伸びることがなく、雑草の繁茂を確実に抑制することができる。
【００２１】
また、図示の実施形態の雑草繁茂抑制部材２においては、アンカーピン１０でシート４が地面に固定された際に、隣接するシート４の幅方向端部同士が重なった部分が板状押圧片８によって押圧されるので、隣接するシート４とシート４との間に隙間が形成されるのが一層確実に防止される。
【００２２】
なお、板状押圧片については、図示の実施形態では長方形状である例（板状押圧片８）を説明したが、図４に示すとおり、中心部分に貫通開口（符号省略）が形成された円形状の板状押圧片１２であってもよい。
【符号の説明】
【００２３】
２：雑草繁茂抑制部材
４：合成樹脂製シート
４ａ：折り返し部分
４ｂ：非折り返し部分
６：固定具
８：長方形状の板状押圧片
８ａ：貫通開口
１０：アンカーピン
１２：円形状の板状押圧片
【図１】
2020171260.tif 000003
【図２】
2020171260.tif 000004
【図３】
2020171260.tif 000005
【図４】
2020171260.tif 000006